(57)【要約】      （修正有）【課題】基地系集団や反射基地系集団を構成する相当な多数個の基地系や反射基地系の推進体へ燃料を提供する効率的・計画的・体系的な手段を提供する。【解決手段】防護装置は、推進体へ燃料筒ユニットが運搬ロケットで複数個が運搬される配備ロケットの自動配備機と、及び基地系・反射基地系に付装された自動受給機と、によって自動配備される供給装置を装備しており、これらを自動制御する各電子計算機が地球管制体の大型電子計算機とネットワークされた制御装置を備える。推進体は燃料が自動的・効率的・計画的・体系的に供給され、基地系集団や反射基地系集団の運行が未来に於ては円滑に運営されると推定される。【選択図】図４
2005280677.tif 000002
【特許請求の範囲】
【請求項１】
無重力の宇宙空間に地球に対向して配備され地球に太陽光陰影部を投影する基地系の多数個の配列で広大な平面状に形成される基地系集団、光沢面を有し地球に太陽光反射部を投光する反射基地系の多数個の配列で広大な平面状に形成される反射基地系集団、の運行を制御するよう該基地系・該反射基地系に搭載される推進体や該推進体を制御する基地計算機や反射基地計算機を備え、地球の未来に於ける環境の制御を目標とする防護装置であって、
該推進体の燃料である凝縮された凝縮燃料を地球の燃材を高熱炉等による電力で電気処理して充填された燃料筒ユニットを多数組搭載して推力の大きい新ロケットで護宇宙空間に打上げる運搬ロケットと、該燃料筒ユニットを該基地系・該反射基地系に搭載された該推進体に自動配備する自動配備機をを搭載した配備ロケットを装備した供給装置と、
該推進体・該自動配備機・自動配備機から燃料筒ユニットを自動受配される自動受給機・配備ロケット・運搬ロケット・燃料製造機・等を自動制御する各電子計算機と地球管制体の大型電子計算機とがネットワークに構成された制御装置と、
を具備した推進装置を有する防護装置。
【請求項２】
前記防護装置は、前記推進体の燃料である液体水素・液体酸素を太陽を中心にして回動するよう軌道修正された彗星核の氷や、惑星の衛星等の氷を、太陽光により発電された電力や、高熱炉等による電力で電気分解して充填された液体水素筒・液体酸素筒等の燃料筒ユニットを多数組搭載して推力・比推力の大きい新ロケットで宇宙空間を高速飛行する運搬ロケットと該燃料筒ユニットを該基地系・該反射基地系に搭載された該推進体に自動配備する自動配備機を搭載した配備ロケットを装備した供給装置と、
該推進体・該自動配備機・自動配備機から燃料筒ユニットを自動受配される自動受配機・配備ロケット・運搬ロケット・燃料製造機・等を自動制御する各電子計算機と地球管制体の大型電子計算機とがネットワークに構成された制御装置と、
を具備した推進装置を有する防護装置。
【請求項３】
前記防護装置は、彗星核の太陽側の前方に太陽光の照射を遮るよう配備した状態で太陽を中心に運行する運行機、太陽光によって彗星核からのガス・チリ・水蒸気の噴射である彗星の発生と消耗を抑制し、該太陽光によって発電された電力で該彗星核の氷の融解や融解水の電気分解と水素・酸素の凝縮を実行するよう構成された該彗星板・彗星機等を含む供給装置と、
該運行機・該彗星板・該彗星核・該彗星機を地球管制体の大型電子計算と連携して制御するようネットワークに構成された彗星計算機等を含む制御装置と、
を具備した推進装置を有する防護装置。
【請求項４】
前記防護装置は、前記基地計算機や反射基地計算機による推進方向・推進量の微妙な制御でも可能で、前記基地系・前期反射基地系の姿勢制御・配列制御を主に実行するよう構成され、燃料の消耗が少くてすみ、従って燃料筒ユニットの交換等の自動配備の頻度が極めて少くてよい化学燃料等で駆動される推進体と、
前記基地計算機や反射基地計算機による制御も可能で連携材で多数個が連携された基地系ブロック・反射基地系ブロックの加速減速用・長距離飛行用・安全対策用の推進力の提供を目標に構成され燃料の消耗が極めて少くても推力の大きい核融合推進体等の新ロケットで構成される補助推進体と、
を具備した推進装置を有する防護装置。
【請求項５】
前記防護装置は、前記基地系や前記反射基地系の表面に常時大量に降り注ぐ強烈な太陽光や熱等をエネルギー源として随時補給しつつ推進力が提供される可能性が研究開発されているいわゆる太陽ロケットを複数個搭載した補助推進体と、
前記基地系や前記反射基地系の表面に常時大量に降り注ぐ強烈な太陽光を入射する入光孔を備え、その入射された太陽光を貯留する貯光部を備え、その貯留された充分な量の貯留光を一挙に放出して推進力を得る放光孔を備え、太陽光をエネルギー源として随時補給しつつ推進力が提供される可能性が研究開発されているいわゆる貯光ロケットを複数個搭載した推進体・補助推進体と、
を具備した推進装置を有する防護装置。
【請求項６】
前記防護装置は、前記基地系集団・前記反射基地系集団の表面から一定距離を維持して低速で水平飛行あるいは前記基地系・前記反射基地系の縦補強枠を滑動するガイド車等で一定距離を維持して低速で水平飛行し多数個の燃料筒ユニット・自動配備機を搭載した配備ロケットと、
前記基地系・前記反射基地系の推進体の近傍に装備された自動受配機と、
該自動配備機から該自動受給機へ該配備ロケットが停止することなく前記燃料筒ユニットが相対的に停止した位置で配備・受給が自動的に成されるよう該配備ロケットの飛行速度に対応した滑動が成される滑動調節機を備えた供給装置と、
該滑動調節機・該自動配備機・該自動受給機を制御する制御装置と、
を具備した請求項１・２に記載の推進装置を有する防護装置。
【請求項７】
前記防護装置は、前記運搬ロケットに複数個搭載された配備ロケットを有する供給装置と、
前記基地系・前記反射基地系の配列番地を入力し各々の推進体の稼働時間等から各燃料筒ユニットの燃料の消耗度を計算し、新燃料筒ユニットの配備計画を徹底的に管理し前記基地系集団等の運行を円滑にする燃料管理計算機を備えた制御装置と、
を具備した請求項１〜４に記載の推進装置を有する防護装置。
【請求項８】
ネットワークされた電子計算機群によって前記基地系集団・前記反射基地系集団の推進・活動が円滑に管理される方法であって、
前記燃料筒ユニットの燃料の消耗度が前記燃料計算機で管理され新燃料電地の配備計画が燃料計算機で総合的に集中管理される消耗配備管理段階と、
前記供給装置によって各燃料筒ユニットの製造・運搬・配備が計画的に円滑に実行される供給段階と、
研究開発の状況や必要の状況に応じて前記推進体・補助推進体に太陽光や太陽熱をエネルギ源とした太陽ロケット・貯光ロケットが採用される光熱活用段階と、
を具備した推進装置の使用方法を有する防御装置の使用方法。
【発明の詳細な説明】
【技術分野】  本発明は、防御装置とその使用方法に関し、より詳しくは防御装置の主要構成である基地系や反射基地系の推進体に燃料を自動的・効率的・計画的・体系的に供給る装置と使用方法を提供し、基地系集団・反射基地系集団の運行を円滑にするものである。
［背景技術］
２０世紀は去り、私達は２１世紀という新らしい世紀を迎えた。ここで２１世紀という時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。
まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、地球環境の深刻化という大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量の爆発的な増大に伴って、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地球は水没化する危険性がある。
生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。
地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は防護され尽されねばならない。そのためには、環境破壊の原因の排出を繰返してきた２０世紀の人類の活動の全てが個々の立場に於て検証され、最善の対策が図られるべき必要に迫られてきた。
世界の人口が１０億に達したのは１８００年頃で、人類が誕生して以来非常に長い歴史が必要であった。しかし、２０億になるには約１３０年、３０億になるには３０年、４０億になるには１５年しかかっていない。特に、第２次世界大戦後における幾何級数的な世界人口の増加は、人口爆発と呼ばれるにふさわしいものであった。この増加傾向は多少変化があるとしても、前記のように世界人口は２０５０年には１００億に達するとみられている。従って、地球は半世紀の間に食糧、水、資源、居住環境等人類生存の必須条件の全ての面において、現在の約２倍の人口を維持しうるだけの扶養能力を備えていなければならない。
これらの必須条件が世界人口の生存上充分に余裕のあるうちは、人口増加は人類の繁栄を示すもので結構なことである。現に、数十年前まではそうであった。しかし、第２図に示すように現在実際に直面しまた予測されている危機的課題はいずれも地球規模のものであり、将来益々激しさを増すもので非可逆的性格が強い。その主な原因は世界人口の激増が引き金になっていることが判っている。エネルギーを初め多くの資源の需要は等比級数的に伸びるのに対して、資源の量には絶対的限界がある。幾世紀、幾億年かけて生成された森林や土壌や地球独得の資源等が今や人間一生程の短い期間に消費されている。また、これらのこことが将来、政治的・社会的安定を脅かす原因となってくる可能性が大きい。
２０世紀の人類はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現代の地球環境問題にも未来の地球・人類には天体上の諸理由によって起る危機、正に大危機と呼ばれる試練が待ち受けている。過去複数回到来したものは未来も複数回到来するであろう。後記の氷期の到来の課題然り、小惑星の地球衝突の課題然りである。それらは枠外れの厳冬や大地震よりさらにレベルが異る大危機である。以上は相当現代に近い近未来〜中未来の切実で大きな課題である。相当先々の中未来〜遠未来のことになるが太陽光度の漸次増強による地球高温化、地球の第２金星化の課題は放置すれば生物や人類の世紀末とも言うべき、全運命を左右する大危機である。
本発明の第１の目的は、防護装置（特許第２９０６１６５号）の主要構成である基地系・反射基地系等に効率よく燃料を提供する装置と方法を創出し、基地系集団等を未来に於いて構成する一手段の提供を図ることである。
［発明を実施するための最良の形態］
防護装置は、図に示すように供給装置と制御装置とを備えており、供給装置は推進体に燃料筒ユニットが自動受給される自動受給機と、自動配備する自動配備機と、自動配備機が搭載される配備ロケットと、配備ロケットを複数個運搬する運搬ロケットと、地球で燃料を製造する地球燃料機と、によって構成される。また、制御装置は上記を各々制御する推進計算機、受給計算機、滑動計算機配備計算機、配備ロケット計算機、運搬ロケット計算機、燃料管理計算機、大型電子計算機、等がネットワークに構成されている。
防護装置は、図に示すように前記供給装置の地球燃料機に代えて彗星燃料機、彗星板、彗星運行機等を備えている。また、衛星燃料機を備えている場合もある。
防護装置は、基地系・反射基地系の姿勢制御や配列制御を主に実行する化学燃料等の推進体と、基地系ブロック・反射基地系ブロックの加速減速用・長距離飛行用・安全対策用を主に実行する核融合推進体等の新ロケット等の補助推進体と、で構成される。これらは共に燃料の消耗が少くて済み、従って燃料の補給が頻繁に行われる必要がない。
防護装置は、研究開発中とされる太陽ロケットや、貯光ロケットが未来に於て仮に実用化すると仮定すればこれらが必要個数を搭載することが検討されてもよい。
防護装置は、配備ロケットの飛行速度と同じ速度で飛行方向と逆方向に滑動する滑動調節を備えて、相対的に略停止した位置関係で安定的に燃料筒ユニットが自動配備・自動受給されるよう構成される。配備ロケットは停止・発進することなく、低速で飛行する状態を維持しつつ自動配備できる。
防護装置は、燃料の消耗度が各推進体毎に自動計算され、配備計画が徹底管理される燃料管理計算機を備えた制御装置を備えて構成される。
また、運搬ロケットは、例えばその外周に複数個の配備ロケットを搭載さてもよい。
防護装置は、消耗配備管理段階と、供給段階と、光熱活用段階と、を含んで使用方法を備えている。
［発明の効果］
本発明は上記したように構成されているので下記の効果を奏すると推定される。
（１）  防護装置は、運搬ロケットで複数個運搬される配備ロケットに搭載された多数個の燃料筒ユニットが自動配備機と自動受給機とによって自動配備される供給装置を備え、これらを自動制御する各電子計算機が地球管制体の大型電子計算機とネットワークされた制御装置を備えている。従って、各推進体は燃料が自動的・効率的・計画的・体系的に供給され、未来に於ては基地系集団や反射基地系集団が円滑に運行されると推定され、特許第２９０６１６５号に掲載される諸目的が略達成される可能性の一端が開かれると推定される。なお、運搬ロケットは推進の大きい新ロケットが活用され、多数個の燃料筒ユニットは鉄資材程に重量が大きくないので地球からでも打上げは可能になると推定される。
（２）  防護装置は、上記（１）の運搬ロケットの打上げと併用されてもよい手段として、太陽を中心に回動するよう軌道修正された彗星核や、惑星の衛星等の氷を融解した水を電気分解して、液体水素・液体酸素等を充填した燃料筒ユニットを多数個製造すつことも可能である。双方の手段は技術的・経済的に問題が少い方が選択されるべきであると推定される。
（３）  防護装置は、運行機・彗星板・彗星機が一担製作されれば後続して飛来する彗星核に適用でき、相当量の氷水を地球からの打上げ引力等に抗することなく相当量の燃料を提供できる。なお、彗星核から太陽光で発生する彗星尾は彗星板・運行機等を含む供給装置や彗星計算機等の制御装置で略抑制できると推定される。
（４）  防護装置は、化学燃料等で駆動される推進体は基地系・反射基地系の姿勢制御・配列制御を主に実行するよう装備されるので燃料の消耗が極く少くて済み従って燃料筒ユニットの交換等の自動配備の頻度が少くてすむ利点がありうる。また、基地系ブロック・反射基地系ブロックの加速減速用や長距離飛行用や安全対策用の推進力の提供を主な目標に構成される補助推進体は、核融合推進体等の燃料の消耗が極めて少くても大きな推進が供給される新ロケットの活用によって燃料の交換をほとんど無くして長年月の運行が可能となり道が開かれる。
（５）  防護装置は、いわゆる太陽ロケットが開発されれば各々の基地系や反射基地系に必要個数に搭載してそれらに常時大量に降り注ぐ強烈な太陽光や太陽熱を随時補給しつつ推進力が提供されるので燃料の交換が少くてすみ、有効的である。
また、いわゆる貯光ロケットが開発されれば（一部では１０年内外で実用化の望みがあると報道されている）推進は小さくても多数個搭載されれば道は開かれる。
（６）  防護装置は、滑動調節機を供えた供給装置を備えているので、低速で水平飛行する配備ロケットは一時停止や発進等の時間的・エネルギー的な損失を被ることもなく極めて効率的・経済的に多数個の燃料筒ユニットを多数個の基地系・反射基地系に自動配備することが可能になる。
（７）  防護装置は、核融合推進体を配備した運搬ロケットに（外周等）複数個の配備ロケットを装備して運搬すれば宇宙空間で自動的に分離されて、配備ロケットに多数個が搭載された燃料筒ユニットを効率的に配備できる。また、燃料計算機によって全推進体の嫁動時間等から燃料の消耗度を計算して新燃料筒ユニットの配備計画と共に集中管理することが可能である。これによって、基地系集団・反射基地系集団の運行は円滑に運営されると推定される。
（８）  防護装置は、請求項８に記載の各段階を備えているので、燃料の供給等の自動配備が可能となり、従って未来に於ては基地系集団・反射基地系集団の運行が円滑に実行される可能性が開かれると推定される。これによって、特許第２９０６１６５号に掲載された発明の目的や発明の効果への望みの一端が開かれると推定される。
【図面の簡単な説明】［図１］
従来図
［図２］
従来図
［図３］
実施例
［図４］
実施例
［図５］
実施例
［図６］
実施例
［図７］
実施例
【符号の説明】
【図１】
2005280677.tif 000003
【図２】
2005280677.tif 000004
【図３】
2005280677.tif 000005
【図４】
2005280677.tif 000006
【図５】
2005280677.tif 000007
【図６】
2005280677.tif 000008
【図７】
2005280677.tif 000009